(57)【要約】      （修正有）【課題】補完的な電気コネクタと結合するように構成された電子端子を提供する。【解決手段】電気コネクタ組立体は、電気コネクタおよびモジュールを有する。電気コネクタは、コネクタハウジング、およびこのコネクタハウジングに支持された第１の複数の電気端子を有する。モジュールは、モジュールハウジング、およびこのモジュールハウジングに支持された第２の複数の電気端子を有する。第２の複数の第１の選択した数の電気端子が、第１の複数の電気端子と結合するように構成され、かつ、第２の複数の第２の選択した数の電気端子が、補助の電気部品と結合するように構成されるように、第２の複数の電気端子は、第１の複数の電気端子よりも数においてより大きい。【選択図】図１
0003173702.tif 000002
【実用新案登録請求の範囲】
【請求項１】
コネクタハウジング、およびこのコネクタハウジングによって支持された第１の複数の電気端子を有する電気コネクタと；
モジュールハウジング、およびこのモジュールハウジングによって支持された第２の複数の電気端子であって、第１の複数の電気端子よりも数においてより大きな第２の複数の端子を有し、この第２の複数の電気端子の第１の選択した電気端子は、第１の複数の電気端子と結合するように構成され、かつ、電気端子の第２の複数の電気端子の第２の選択した数が、電気コネクタから分離している補助の電気装置と結合するように構成されるようなものであるモジュールとを有する電気コネクタ組立体。
【請求項２】
第１の選択した数の電気端子は、第１の複数の電気端子と数的に等しい請求項１記載の電気コネクタ組立体。
【請求項３】
少なくとも１つのバッテリー充電器、およびデータ伝送コンジットを有する補助の電気装置をさらに有する請求項１記載の電気コネクタ組立体。
【請求項４】
第１の選択した数の電気端子が、電気コネクタと結合する間、第２の選択した数の補助の電気装置と結合する請求項１記載の電気コネクタ組立体。
【請求項５】
モジュールは、第１の選択した数の電気端子と電気通信にある第１の電気部品を有し、かつ、モジュールは、第２の選択した数の電気端子と電気通信にある第２の電気部品を有する請求項３記載の電気コネクタ組立体。
【請求項６】
電気コネクタは、第１の補完的な電気装置にマウントされるように構成され、かつ、第１の電気部品は、第１の補完的な電気装置からデータ信号を受信するプロセッサを有する請求項５記載の電気コネクタ組立体。
【請求項７】
第２の数の電気端子は、電力端子を有する請求項６記載の電気コネクタ組立体。
【請求項８】
補助の電気装置は、バッテリー充電器であり、かつ、第２の電気部品は、第１の電気部品に電力を供給する再充電可能な電源を有する請求項７記載の電気コネクタ組立体。
【請求項９】
第２の数の電気端子は、電気データ伝送端末を有する請求項６記載の電気コネクタ組立体。
【請求項１０】
第２の電気部品は、第１の電気部品からのデータを受信するデータ伝送インターフェースを有する請求項７記載の電気コネクタ組立体。
【請求項１１】
第１の補完的な電気装置は、フラットフレックスケーブルを有し、かつ、第１の選択した数の電気端子は、電気コネクタをフラットフレックスケーブルにマウントするようにフラットフレックスケーブルを貫通する少なくとも１つのひだ部材を有する請求項６記載の電気コネクタ組立体。
【請求項１２】
それぞれ第１の選択した数の電気端子は、連続的に配置され、かつ、それぞれ第２の選択した数の電気端子は、第１の選択した数の電気端子に隣接して連続的に配置される請求項１記載の電気コネクタ組立体。
【請求項１３】
第１の選択した数の電気端子は、交互に第２の選択した数の電気端子とともに配置される請求項１記載の電気コネクタ組立体。
【考案の詳細な説明】
【技術分野】
【０００１】
この開示は、電気コネクタに係り、特に、補完的な（complementary）電気コネクタと結合するように構成された電気端子に関する。
【０００２】
この出願は、２０１０年９月７日に提出された米国特許出願番号６１／３８０，４５２の利益を要求し、あたかもここにその全体において述べられているかのように、その開示は、それによる引用により組込まれる。
【背景技術】
【０００３】
電気コネクタは、プリント配線回路用基板、フレックス回路、または同種のもののような第１の補完的な電気部品、および電気コネクタと結合するように構成される電気モジュールにマウントされるように構成される。このモジュールは、プロセッサ、電源、および他の電気部品を有する。電気コネクタおよびモジュールは、両方とも普通に、誘電性ハウジングおよびこの誘電性ハウジングによって支持された複数の導電性端子を有する。この電気コネクタの導電性端子は、電気コネクタが、第１の補完的な電気部品に、およびこのマウンティング端部の反対側に配置され、かつ、モジュールの電気端子に電気的に接続するように構成される結合端部にマウントされる場合に、第１の補完的な電気部品に電気的に接続するように構成されるそれぞれのマウンティング端部を画定する。
【０００４】
代表的には、モジュールの電気端子は、そのモジュールが結合する電気コネクタにおける電気端子と数において等しい。したがって、モジュールの電気端子は、電気コネクタの電気端子の補完的な１つと結合する。
【考案の概要】
【０００５】
１つの実施例にしたがって、電気コネクタ組立体は、電気コネクタおよびモジュールを有する。この電気コネクタは、コネクタハウジング、およびこのコネクタハウジングによって支持された第１の複数の電気端子を有する。モジュールは、モジュールハウジング、およびモジュールハウジングに支持された第２の複数の電気端子を有する。この第２の複数の端子は、この第２の複数の電気端子の第１の選択した数の電気端子が、第１の複数の電気端子と結合するように構成され、かつ、第２の複数の電気端子の第２の選択した数の電気端子が、補助的な電気装置と結合するように構成されるように、第１の複数の電気端子より数においてより大きい。
【０００６】
付属の線図とともに読まれたときに、好ましい実施例の以下の詳述と同様に、先行する要約も、一層よく理解される。この開示を例証する目的で、図面は、現時点で好ましい実施例を示している。しかしながら、この考案は、図面に開示された特定の手段に限定されていない。図面の説明は、以下のとおりである：
【図面の簡単な説明】
【０００７】
【図１】電気コネクタ、フラットフレキシブルケーブルにマウントされた電気コネクタを示す、フラットフレキシブルケーブルとして例証された第１の補完的な電気装置、および、電気コネクタと結合するように構成されたモジュールを有する電気コネクタ組立体の斜視図である；
【図２Ａ】コネクタハウジングおよびこのコネクタハウジングによって支持された複数の電気端子を有する図１において例証された電気コネクタの斜視図である；
【図２Ｂ】図２Ａにおいて例証された電気コネクタの他の斜視図である；
【図３Ａ】図２Ａにおいて例証された電気コネクタのコネクタハウジングの斜視図である；
【図３Ｂ】図３Ａにおいて例証されたコネクタハウジングの他の斜視図である；
【図４】図２Ａにおいて例証された電気コネクタの電気端子のうちの１つの斜視図である；
【図５Ａ】ひだ形でない配置においてフラットフレキシブルケーブルにマウントされた電気コネクタを示す、図１において例証された電気コネクタ組立体の部分の斜視図である；
【図５Ｂ】図５Ａにおいて例証された電気コネクタ組立体の部分の他の斜視図である；
【図６Ａ】図１において例証されたが、他の実施例にしたがって構成されたコネクタハウジングを有する電気コネクタと近似する電気コネクタの斜視図である；
【図６Ｂ】図１において例証された電気コネクタ組立体のモジュールの斜視図である；
【図６Ｃ】電気コネクタと結合し、さらには補助的な電気装置と結合したモジュールを示す、図１において例証された電気コネクタ組立体の概略図であり；そして
【図６Ｄ】図６Ｃに近似しているが、代りの実施例にしたがって構成された電気コネクタ組立体の概略図である。
【考案を実施するための形態】
【０００８】
初めに、図１および６Ｃを参照して、電気コネクタ組立体２００は、電気コネクタ２０２、および選択的に電気コネクタ２０２と結合するように構成された電気モジュール２０３を有する。したがって、モジュール２０３は、電気コネクタ２０２から取外し可能であることができる。この電気コネクタ２０２は、任意の適切な第１の補完的な電気装置２０７にマウントされるように構成され、それは、フラットフレックスケーブル２２として構成することができ、それは、また、フレキシブルプリント回路（ＦＰＣ）と呼ぶことができるか、または望むように別の方法で構成することができる。モジュール２０３は、プロセッサのような第１の電気部品２１１、およびバッテリーのような第２の電気部品２１３を有する。例えば、モジュール２０３は、プリント配線回路用基板２０９を有することができ、第１および第２の電気部品２１１および２１３は、プリント配線回路用基板２０９上にあることができ、またそうでなければ、プリント配線回路用基板２０９の電気跡（electric  trace）が、相互に電気通信に第１および第２の電気部品２１１および２１３を配置する（place in electric communication with）ように、電気的に接続することができる。
【０００９】
電気コネクタ２０２は、対応する第１の複数の電気端子２２０を有し、さらに、モジュール２０３は、第２の複数の電気端子２８４を有する。電気コネクタ２０２およびモジュール２０３が結合するときに、第１の複数の電気端子２００は、プロセッサ２１１を有するモジュール２０３と第１の補完的な電気装置２０７との間の電気接続を確立するように、第２の複数の電気端子２８４のすべて未満の、選択した数の第２の複数の電気端子２８４と電気的に接続する。
【００１０】
今度は図１−２Ｂを参照して、電気コネクタ２０２は、誘電性か、または電気絶縁性であるコネクタハウジング２０４を有する。ハウジング２０４は、頂部端部２０６、対向する底部端部２０８、前方端部２１０、対向する後部端部２１２、および対向する側面２１４を画定するほぼ長方形のハウジング本体２０５を有する。対向する側面２１４は、第１の、または長手方向Ｌに沿って別々に間隔を置かれ、前方端部後方端部２１０および２１２は、第２の、または長手方向Ｌに関してほぼ垂直である第２の、または横方向Ａに沿って別々に間隔を置かれ、さらにまた、頂部および底部端部２０６および２０８は、横方向Ａおよび長手方向Ｌに関してほぼ垂直である、第３の、または横断方向Ｔに沿って別々に間隔を置かれる。例証される実施例にしたがって、電気コネクタ２０２の方向付けは、使用の間に変わることができることは認識されるべきであるが、その横断方向Ｔは、垂直に位置づけられ、また、長手方向でありかつ横方向、ＬおよびＡは、水平方向に位置づけられる。例証される実施例にしたがって、コネクタハウジング２０４は、長手方向に延びるように例証される。
【００１１】
コネクタハウジング２０４は、頂部端部２０６に隣接して配置された結合するインターフェース２１６を画定し、さらに、結合するインターフェース２１６に対向し、かつ底部端部２０８に隣接して配置されるマウンティングインターフェース２１８を画定する。したがって、結合するインターフェース２１６およびマウンティングインターフェースは、横断方向Ｔに沿って一定間隔で配置される。結合するインターフェース２１６が、第１の複数の電気端子２２０に、選択した数の第２の複数の電気端子２８４と結合させるように、横断方向Ｔにあることができる、結合する方向に沿ってモジュール２０３と効果的に係合するように構成されている間に、マウンティングインターフェース２１８は、効果的にフラットフレックスケーブル２２と係合するように構成される。電気コネクタ２０２は、それによって結合するインターフェース２１６が、マウンティングインターフェース２１８とほぼ平行に配置される直角のコネクタとして構成されることができる。代りに、電気コネクタ２０２は、それによって結合するインターフェース２１６が、マウンティングインターフェース２１８に関してほぼ直角に配置される、直角の電気コネクタとして構成されることができる。
【００１２】
電気コネクタ２０２は、電気的に伝導性で、かつコネクタハウジング２０４によって支持される、複数の電気端子２２０を有する。電気端子２２０は、例えば前方端部２１０から対向する後方端部２１２まで後方への方向に沿って、横方向Ａに沿っていることができるマウンティング方向２２１（図２Ａを参照）に沿ってコネクタハウジング２０４に搭載することができる。電気コネクタ２０２は、それが例証された実施例にしたがって長手方向Ｌである列方向に沿って一定間隔で配置することができる、望まれるようないかなる数の電気端子２２０も有することができる。電気端子２２０は、列方向に沿って隣接した電気端子の中心対中心間距離であるピッチＰに沿って相互から一定間隔で配置される。電気端子２２０は、結合するインターフェース２１６に隣接して配置された結合する部分２２２、および、マウンティングインターフェース２１８に隣接して配置された、対向するマウンティング部２２４を、それぞれ画定する。特に、結合する部分２２２は、ほぼ、頂部端部２０６に沿った横方向Ａにおいて延び、さらに、電気端子２２０のマウンティング部２２４は、ほぼ、底部端部２０８に沿った横方向Ａにおいて延びる。マウンティング部２２４は、電気コネクタ２０２が第１の補完的な電気装置２０７にマウントされるときに、第１の補完的な電気装置２０７に電気的に接続されるように構成され、さらに、結合する部分２２２は、モジュール２０３の補完的な選択した数の電気端子２８４に電気的に接続するように構成される。
【００１３】
今度は図３Ａ−Ｂを参照して、コネクタハウジング２０４は、ハウジング本体２０５が有する複数の接点整列部材２２６および接点支持部材２２８を有する。接点整列部材２２６は、コネクタハウジング２０４上の希望する整列された配置における電気端子２２０を支持するように構成され、さらに、接点支持部材２２８は、整列された配置において電気端子２２０を支持するように構成される。例証された実施例にしたがって、整列部材２２６は、隣接するリブ２３０間に配置された支持スロット２３２を創り出すように、ハウジング本体２０５から突出するリブ２３０として例証される。特に、リブ２３０は、ハウジング本体２０５の底部端部２０８から横方向に突出し、または下方に突出するように例証される。リブ２３０は、リブ２３０が、望まれるようにいかなるサイズおよび形をも画定することができることが認識されるべきであるが、横方向に延び、かつ、ハウジング本体２０５の後部端部２１２から前方端部２１０に延びる。支持スロット２３２は、少なくとも部分的に、隣接したリブ２３０およびハウジング本体２０５の底部端部２０８によって画定され、かつ、リブ２３０の横方向の外側表面に関してこのようにくぼんだ所を作る。
【００１４】
接点支持部材２２８は、横方向にハウジング本体２０６の頂部端部２０６内に延びる隣接したポケット２３４として例証される。ハウジング２０４は、隣接したポケット２３４間に配置された複数の分割壁２３６を画定する。支持ポケット２３４は、前方端部２１０から後部端部２１２に向かって横方向後方に延び、さらに、ハウジング本体２０５が、ポケット２３４の後方端部の上部壁を形成する張出し２３５を画定するように終端する。したがって、支持ポケット２３４は、張出し２３５の下で延びる。分割壁２３６は、ハウジング本体２０５の前方端部２１０を越えて前方に延びることができ、さらに、支持ポケット２３４における横方向の境界を画定するサイド壁２３８をさらに画定することができる。分割壁２３６は、支持ポケット２３４における電気端子２２０の、当初の挿入およびその後の支持の支持を容易にするためにサイド壁２３８内に延びるノッチ２４０を画定することができる。
【００１５】
コネクタハウジング２０４は、さらに、補完的な電気装置を備えた結合された構成において電気コネクタ２０２を支持することができる補完的な装置の補完的な係合部材と係合するように構成される少なくとも１つの係合部材２４２を有することができる。例えば、補完的な係合部材は、補完的な電気装置がそれに配置されるか、またはそれに有することができるか、または補完的な電気装置を備える結合された配置に電気コネクタ２０２を支持することができるように、電気コネクタ２０２を係合する補助構造体に配置するか、またはそれに有することができる。
【００１６】
図３Ａ−Ｂにおいて例証されるように、係合部材２４２は、ハウジング本体２０５の対向する側面２１４内に長手方向に延びて、さらに、それぞれ、前方および後方端部、２１０および２１２の間に横方向に延びるスロット２４６として提供される１対のガイドレール２４４を有することができる。例証されるように、スロット２４６は、後方端部２１２から前方端部２１０まで延びることができる。このガイドレール２４４は、電気コネクタ２０２が補完的な電気コネクタと結合されるとともに、補完的なガイド部材を受けるように構成される。
【００１７】
係合部材２４２は、さらにハウジング本体２０５から前方に延びる１対のラッチアーム２４７を有することができる。例えば、ラッチアーム２４７は、ガイドレール２４４から（例えば下に）垂直にずれるか、またはその代りにガイドレール２４４と垂直に整列された位置で対向側面２１４から前方に延びる。
【００１８】
ラッチアーム２４７は、補完的な電気装置を備えた結合された配置において電気コネクタ２０２を支持するように、補完的な装置の補完的な係合部材と係合するか、または、インターロックするように構成される外方にあごのついた前方端部２４８を画定することができる。代りに、図６Ａにおいて例証されるように、電気コネクタ２０２の係合部材２４２は、コネクタハウジング２０４の側面２１２から横方向に延び、さらに、前方および後方端部、２１０および２１２の間に延びる１対の横方向に対向するガイドレール２４９として提供することができる。したがって、電気コネクタ２０２が１つの実施例にしたがって例証されることは認識されるべきであり、電気コネクタ２０２が１対の補完的な電気装置を電気的に接続するように多数の実施例にしたがって構築することができる。
【００１９】
今度は図４を参照して、それぞれの電気端子２２０は、結合する部分２２２およびマウンティング部２２４を、さらには、結合する部分２２２とマウンティング部２２４との間に接続された中間部分２５０を画定する。
【００２０】
例証された実施例にしたがって、中間部分２５０は、垂直に延びて、第１の、または頂部の端部２５０ａ、および対向する第２の、または底部の端部２５０ｂを画定する脚として例証される。結合する部分２２２は、頂部端部２５０ａから延び、さらに、マウント部２２４は、底部端部２５０ｂから延びる。
【００２１】
例証された実施例にしたがって、結合する部分２２２は、近位の領域２５２ａと、末端領域２５２ｃと、この近位の領域２５２ａと末端領域２５２ｃとの間に接続される中間領域２５２ｂとを画定する支持腕２５２を有する。近位の領域２５２ａは、中間部分２５０から角度的にずれた方向に、中間部分２５０の頂部端部２５０ａから横方向後方に延びる。例証されるように、結合する部分２２２の近位の領域２５２ａは、中間部分２５０に関してほぼ垂直に延びる。
【００２２】
中間領域２５２ｂは、近位の領域２５２ａの後方端部からほぼ１８０°のＵ屈曲を画定する。したがって、末端領域２５２ｃは、エルボ２５４、および、エルボ２５４から前方に、かつ横断方向に延びる接触部分２５６に対して近位の領域２５２ａとほぼ平行な方向に沿って、中間領域２５２ｂから前方に延びる。
【００２３】
接触部分２５６は、ほぼフック形のように例証され、さらに接触面２５８、および中間部分２５０に向かって接触面２５８から下に延びる末端部２６０を画定する。末端部２６０は、例証されるような中間部分２５０とほぼ垂直に整列されることができる。
【００２４】
マウンティング部２２４は、中間部分２５０から角度をもってずれた方向に中間部分２５０の底部端部２５０ｂから横方向後方に延びるほぼ平坦なマウンティングプレート２６２として例証される。例証されるように、このマウンティングプレート２６２は、中間部分２５０に関してほぼ直角で、結合する部分２２２の近位の領域２５２ａとほぼ平行な方向に沿って、水平面内においてほぼ平坦に延びる。マウンティングプレート２６２は、外部の横断方向か、または下部の接触面２６４、および、対向する内部の横断方向か、または上部表面２６５を画定する。マウンティングプレート２６２は、電気端子２２０の残りの部分より大きな横断方向の厚さを有することができるか、または、電気端子２２０の残りの部分に関してほぼ一定の厚さを有することができる。
【００２５】
電気端子２２０は、さらに、マウンティングプレート２６６によって伴われた、１対の横方向に間隔を置かれたひだ部材２６７のような、少なくとも１つのひだ部材２６７を有する。特に、このそれぞれのひだ部材２６７は、例証された実施例にしたがって接触面２６４から先細の末端部２６８ａまで下方に延びる複数のひだ歯２６８を有する。したがって、それぞれのひだ部材２６７は、結合する部分２２２がマウンティング部２２４から一定間隔で配置される方向とほぼ平行である方向に沿って、マウンティングプレート２６２から、例えば接触面２６４から延びることができる。例えば、それぞれのひだ部材２６７は、結合する部分２２２から遠ざかる、およびしたがって、近位のおよび末端領域、２５２ａおよび２５２ｃから遠ざかる、そしてしたがってさらには、接触面２５８から遠ざかる方向に沿って、マウンティングプレート２６２から延びることができる。代りに、それぞれのひだ部材２６７は、結合する部分２２２に向かう、およびしたがって、近位のおよび末端領域、２５２ａおよび２５２ｃに向かう、そしてしたがってさらには、接触面２５８に向かう方向に沿って、マウンティングプレート２６２から延びることができる。近位の領域２５２ａは、末端領域２５２ｃとマウンティングプレート２６２との間に、およびしたがって、末端領域２５２ｃとひだ部材２６７との間に配置することができる。例証されるように、ひだ歯２６８は、マウンティングプレート２６２を介して横断方向に延びる開口２７０を形成するように、型押しするか、または、そうでなければ、マウンティングプレート２６６からカットすることができる。代りに、ひだ歯２６８は、マウンティングプレート２６６に個別に取付ける（例えば、溶接する）ことができる。それぞれのひだ部材２６７は、マウンティングプレート２６６を介して延びる横断方向の開口２７０に関して相互から等距離で間隔を置かれる４つのひだ歯２６８を有する。ひだ歯２６８は、それぞれのひだ部材２６７が、例証された実施例にしたがって星の形状に近似するように、配置される。しかしながら、それぞれのひだ部材２６７が、少なくとも１つのひだ歯２６８のようないかなる数の、相互から等距離に、または不定に間隔を置かれるひだ歯２６８を有することができることは認識されるべきである。
【００２６】
動作中に、電気端子２２０のすべてまでの電気端子２２０の少なくとも１つは、結合する部分２２２で接触面２５８にほぼ垂直な指向性の部品を有するスプリング力を提供するように構成することができる。例えば、接触面２５８は、結合する部分２２２が、圧縮して配置され、それによって、この結合する部分２２２を補完的な電気端子に確実に結合するように、補完的な電気端子と機械的および電気的な接触をもたらされることができる。例えば、接触面２５８、およびしたがって末端領域２５２ｃが、近位の領域２５２ａに向かって、およびしたがって、マウンティング部２２４に向かって横断方向Ｔに（例えば、補完的な電気端子によって加えられた）力を受けるときに、中間屈曲領域２５２ｂは、末端領域２５２ｃが、近位の領域２５２ａに向かって、およびしたがってマウンティング部２２４に向かって横断方向Ｔに沿って圧縮するように、曲がる。ひだ部材２６７は、結合する部分２２２から離れ、およびしたがって近位の、および末端領域、２５２ａおよび２５２ｃから離れ、かつ、したがってさらに接触面２５８から離れる方向に沿って、マウンティングプレート２６２から延びるとき、その後、近位の領域２５２ａは、ひだ部材２６７がマウンティングプレート２６２から外に延びる方向とほぼ同一である方向に沿って屈曲する。ひだ部材２６７は、結合する部分２２２に向かう、およびしたがって近位のおよび末端領域、２５２ａおよび２５２ｃに向かう、およびしたがってさらに接触面２５８に向かう方向に沿ってマウンティングプレート２６２から延びるときに、その後、近位の領域２５２ａは、ひだ部材２６７が、マウンティングプレート２６２から外方に延びる方向とほぼ反対である方向に沿って、屈曲する。
【００２７】
再度図２Ａ−Ｂおよび図４を参照して、電気コネクタ２０２は、電気端子２２０をコネクタハウジング２０４に取付けることによって組立てることができる。例えば、電気端子２２０は、最初に、対応する１つの支持スロット２３２、および整列した１つの支持ポケット２３４と整列する。次に、それぞれの電気端子２２０は、コネクタハウジング２０４の前方端部２１０が、マウンティングプレート２６２と支持腕２５２の近位端２５２ａとの間に配置されたギャップ内に受けられるように、コネクタハウジング上にマウントされる。マウンティングプレート２６２は、整列された支持スロット２３２内に受けられ、さらに、支持腕２５２は、整列した支持ポケット２３４内に受けられる。中間領域２５２ｂが、ハウジング本体２０５の前方端部に当接するまで、電気端子２２０は、コネクタハウジング２０４に関して後方に移動される。
【００２８】
電気端子２２０が、コネクタハウジング２０４上にマウントされるときは、それぞれの端子のマウンティングプレート２６２は、整列した支持スロット２３２内に配置され、さらに、支持腕２５２は、整列した支持ポケット２３４内に受けられる。支持腕２５２の近位のおよび末端領域、２５２ａおよび２５２ｂの外部の横断方向表面は、張出し２３５の下の位置で支持ポケット２３４のそれよりも  わずかにそれ未満である横断方向の厚さを画定することができる。それは、支持腕２５２が、支持ポケット２３４内にプレス嵌めすることができるようなものである。
【００２９】
さらに、それぞれの電気端子２２０は、電気端子２２０をコネクタハウジング２０４上に固定するように構成された少なくとも１つの支持部材２７１を有することができる。例えば、支持部材２７１は、支持腕２５２の近位の領域２５２ａから横方向外方に突出する１つまたはそれ以上の第１のグループの舌部２７２を有することができる。舌部２７２は、サイド壁２３８、例えばノッチ２４０内にプレス嵌めされるように構成される。支持部材は、さらに、舌部２７２に関して後方の位置で近位の領域２５２ａから外方に延びる突出部２７３を有することができる。突出部２７３は、舌部２７２に関して隠される位置まで横方向外方に延びることができ、それは、突出部が、ノッチ２４０の後方の位置でサイド壁２３８に対してプレス嵌めすることができるようなものである。
【００３０】
支持部材２７１は、さらに、接触部分２５６の末端部２６０から外方に傾斜して突出する第２のグループの１つまたはそれ以上の舌部２７２をさらに有することができる。舌部２７２は、さらに、望まれるようなサイド壁２３８に対してプレス嵌めすることができる。さらに、支持腕２５２の近位のおよび末端領域、２５２ａおよび２５２ｃの後端部は、中間領域２５２ｂに加えて、張出し２３５の下にプレス嵌めすることができ、それは、近位のおよび末端領域、２５２ａおよび２５２ｃが、張出し２３５およびポケット２３４の基礎の間に圧縮されるようなものである。電気端子２２０は、例証される実施例にしたがって記述されてきたが、電気端子２２０が、あらゆる適切な代りのサイズおよび望まれるような形状も想定することができることは、認識されるべきである。支持部材を有する近位の領域２５２ａは、ひだ部材２６７を有するマウンティング部２２４にわたって、配置することができ、さらに、オーバーラップさせることができることは、認識されるべきである。さらに、接触面２５８を有する末端領域２５２ｃは、支持部材を有する近位の領域２５２ａにわたって配置し、さらにひだ部材２６７を有するマウンティング部２２４をオーバーラップさせることができる。
【００３１】
電気端子２２０は、コネクタハウジング２０４上にマウントすることができ、それは、端子２２０の結合する部分２２２が、補完的な電気装置と電気通信に配置されるように、構成されるようなものであって、その電気装置は、センサまたはプロセッサのように望まれるような任意の装置であることができるか、または代りにモジュール２０３のような補完的な電気コネクタであることができ、それは次にはマウンティングすることができ、かつしたがってセンサ、またはプロセッサのような他の電気装置に電気的に接続することができる。結合する部分２２２は、補完的な電気装置の補完的な電気端子に接触するように偏倚されたスプリングであるように、従順であることができる。
【００３２】
今度は図２Ａ−Ｂおよび５Ａ−Ｂを参照して、マウンティング部２２４は、フラットフレックスケーブル２２上にひだ歯２６８を縮らせることにより、電気端子２２０を、フラットフレックスケーブル２２に電気的に接続することができ、それによって、フラットフレックスケーブル２２を通って配置される電気跡と電気通信に配置する。例えば、フラットフレックスケーブル２２は、ひだ歯２６８が、図５Ａに示されるような第１の方向に沿ってフラットフレックスケーブル２２を貫通するように、コネクタハウジング２０４の底部端部２０８に対して配置することができる。次に、ひだ部材２６７は、先細だった末端部２６８ａが、フラットフレックスケーブル２２を貫通し、かつそれを通って走る跡と接触する（図１参照）ように、第１の方向とはほぼ反対である第２の方向に沿ってひだ歯２６８を折り返させて、ひだ歯２６８に対してもたらされるダイスによって型押しすることができる。型押し動作は、望まれるように、ひだ歯２６８を外方または内方に折り返させることができる。したがって、ダイスは、ひだ歯２６８と接触するようにもたらされるとともに、コネクタハウジング２０４の底部端部２０８は、型押し動作を支援するマンドレルを提供することができる。
【００３３】
型押し動作中にコネクタハウジング２０４上の力を減少するために、もし、コネクタハウジング２０４の完全に対して構造用支持材を提供することが望まれる場合には、コネクタハウジング２０４を、プレートまたは任意の適切な構造によって強化することができる。代りに、ひだ部材２６７は、マウンティングプレート２６２が、コネクタハウジング２０４から離れて延びるときに、ひだ歯２６８をフラットフレックスケーブル２２に対して縮らせさせるように、型押しすることができ、さらに、電気端子２２０は、ひだ歯２６８がフラットフレックスケーブル２２にマウントされた後、マウンティングプレート２６２をコネクタハウジング２０４に向かって、かつ、それに対してもたらすように、折り重ねることができる。例えば、マウンティング部２２４、およびしたがってマウンティングプレート２６２は、型押し動作中にコネクタハウジング２０４から外方に延びることができ、それは、裏面２６５が第１のダイスのような支持に対して強化されるようなものである。フラットフレックスケーブル２２は、ひだ歯２６８に隣接して、例えば先細だった末端部２６８ａに隣接して配置することができ、さらに、ひだ歯２６８に対して、ひだ歯２６８が、フラットフレックスケーブル２２を貫通し、フラットフレックスケーブルを通って延びるように、もたらすことができる。第２のダイスは、ひだ歯２６８に隣接して位置することができ、フラットフレックスケーブル２２およびマウンティング部２２４は、第１および第２ダイスの間に配置されるようなものである。第１および第２のダイスは、その後、ひだ歯２６８がフラットフレックスケーブル２２を貫通した後、相互に向かってもたらすことができ、それによって、先細だった末端部２６８ａは、フラットフレックスケーブル２２内に埋め込まれるように、ひだ歯２６８をフラットフレックスケーブル２２に向かって折り返えさせる。  ひだ歯２６８が、望まれるように縮れなかったときは、いかなる高さをも有することができ、ひだ歯２６８高さは増加するので、ひだ歯２６８は、コネクタハウジング２０４に対して加えられる減少された型押し力の下でフラットフレックスケーブル２２に対して縮れることができることは、認識されるべきである。
【００３４】
したがって、フラットフレックスケーブル２２に対して、ひだ歯２６８を縮らせることは、電気端子２２０をして、（フラットフレックスケーブル２２と電気通信に、電気端子２２０の結合部分２２２に結合される補完的な電気装置を配置させる。フラットフレックスケーブル２２は、端子のマウンティング部２２４上にマウントされる第１の端部、および、センサ、またはプロセッサのような補完的な電気装置に電気的に接続される、対向する第２の端部を画定することができる。したがって、フラットフレックスケーブル２２は、プロセッサを、電気端子２２０のマウンティング部２２４と電気通信に配置することができ、さらに、結合する部分２２２は、電気的にセンサに、直接、またはモジュール２０３のようなモジュールを介して、接続することができる。反対に、フラットフレックスケーブル２２は、センサを電気端子２２０のマウント部２２４と電気通信に配置することができ、さらに、結合する部分２２２は、電気的にプロセッサに、直接、または、モジュール２０３のようなモジュールを介して接続することができる。
【００３５】
今度は、図１および６Ｂ−Ｃを参照して、モジュール２０３は、誘電性、電気絶縁性のモジュールハウジング２８０、およびモジュールハウジング２８０によって支持される第２の複数の電気端子２８２を有する。モジュールハウジング２８０は、電気コネクタ２０２と結合するように構成され、さらに、形成した、電気コネクタ２０２から離れている補助の電気装置２１５と、例えば同時に結合するように構成される、結合するインターフェース２８１を画定する。
【００３６】
電気端子２８２は、結合するインターフェース２８１に隣接して配置されたそれぞれの結合する部分２８４を画定する。例証された実施例にしたがって、モジュール２０３は、電気コネクタ２０２の電気端子２２０の数と比較して、より多くの数の電気端子２８２を有する。したがって、電気端子２８２は、それぞれの結合する部分２８４で結合するように構成される、第１の選択した数の電気端子２８２ａを有し、さらに、したがって、電気的に電気端子２２０に接続する。第１の選択した数の電気端子２８２ａは、第１の電気部品２１１と電気通信にある（be in electrical communication）ことができ、さらに、第２の選択した数の電気端子２８２ｂは、第１の選択した数の電気端子２８２ａと異なり、第２の電気部品２１３と電気通信にあることができる。
【００３７】
１つの実施例にしたがって、第１の選択した数の電気端子２８２ａのすべてまでの少なくともいくつかは、データ伝送端子として構成され、さらに、第２の選択した数の電気端子２８２ｂのすべてまでの少なくともいくつかは、電力伝送端末として構成することができる。したがって、電気端子２８２は、プリント配線回路用基板２０９の電気跡と電気通信にあることができ、それは、第１の選択した数の電気端子２８２ａは、第１の電気部品２１１と電気通信にあり、さらに第２の選択した数の電気端子２８２ｂは、第２の電気部品２１３と電気通信にあることができる。
【００３８】
したがって、電気端子２８２は、モジュール２０３が電気コネクタ２０２と結合するときに、電気コネクタ２０２の電気端子２２０と結合しない特別の数の端子を画定する第２の選択した数の電気端子２８２ｂを有する。代りに、第２の数の電気端子２８２ｂは、例えば第１の数の電気端子２８２ａが電気コネクタ２０２の電気端子２２０と結合する間に、または、第１の数の電気端子２８２ａが電気コネクタ２０２の電気端子２２０と結合しない間に、それぞれの結合する部分２８４で、補助の電気装置２１５に対して取外し可能に、かつ電気的に接続するように構成される。したがって、モジュール２０３は、電気コネクタ２０２を、プロセッサであることができる第１の電気部品２１１と電気通信に配置するように構成され、さらに、補助の電気装置２１５を、バッテリーまたは他の再充電可能な電源であることができる第２の電気部品２１３と電気通信に配置するように構成される。１つの実施例にしたがって、第２の電気部品２１３は、第１の電気部品２１１に電力を供給するように構成することができる。補助の電気装置２１５は、この補助の電気装置２１５が、第２の選択した数の電気端子２８２ｂと電気通信に配置され、かつ、したがって第２の電気部品２１３と電気通信に配置されるときに、再充電可能なバッテリーにチャージを供給するように構成される充電器として構成することができる。例えば、動作中に、充電器は、この充電器をモジュール２０３のプロセッサに電力を供給するモジュール２０３のバッテリーと電気通信に配置するように、第１の選択した数の電気端子２８２ａの結合する部分２８４と選択的に結合することができる。
【００３９】
したがって、第１の選択した数の電気端子の結合する部分２８４は、電気コネクタ２０２で結合するか、または電気的に接続するために呈することができ、さらに、第２の選択した数の電気端子２８２ｂの結合する部分２８４は、補助の電気装置２１５と結合するか、または電気的に接続するために呈することができる。したがって、モジュール２０３は、第１の電気部品２１１を電気コネクタ２０２と電気通信に配置するように構成され、さらに、モジュール２０３は、第２の電気部品２１３（例えばバッテリー）を、補助の電気装置２１５（例えば、バッテリー充電器）と電気通信に配置するように、さらに選択的に構成される。
【００４０】
したがって、電気コネクタ２０２およびモジュール２０３が結合するときは、電気コネクタ２０２の電気端子２２０のマウンティング部２２４に接続されるフラットフレックスケーブル２２のような第１の補完的な電気装置は、信号を、第１の電気コネクタ２０２を介してモジュール２０３の第１の電気部品２１１に送信することができる。第１の電気コネクタ２０２とモジュール２０３とが結合されないとき、または第１の電気コネクタ２０２とモジュール２０３とが結合されている間に、モジュール２０３は、電気端子２８２ｂの第２の選択されたものの結合する部分２８４を補助の電気装置２１５と電気通信に配置することによって、第２の電気部品にチャージを供給する充電器のような補助の電気装置２１５と結合する。第２の数の電気端子２８２ｂの結合する部分２８４は、第２の数の電気端子２８２ｂにマウントされるバッテリーに対するチャージを中断するように、補助の電気装置２１５から分離することができる。
【００４１】
第１の選択した数の電気端子２８２ｂは、このように、電気コネクタ２０２の第１の複数の電気端子２２０と、数的に等しくなることができる。第２の選択した数の電気端子２８２ｂは、残りの電気端子２８２のすべてまで、少なくとも１つまたはそれ以上を有することができ、さらに、補助の電気装置２１５の電気端子と数的に等しくなることができる。第２の選択した数の電気端子２８２ｂは、連続的に配列することができる第１の選択した数の電気端子２８２ａの１つの長手側に隣接して、連続的に配列することができる。代りに、第２の選択した数の電気端子２８２ｂは、第１の選択した数の電気端子２８２ａの対向する側面に配置されるか、またはそうでなければ、望まれるように配置することができる。例えば、図６Ｄに例証されるように、第１および第２の選択した数の電気端子２８２ａおよび２８２ｂのうち一方は、交互に、例えば、長手方向Ｌに沿って配置することができる。したがって、第２の選択した数の電気端子２８２ｂの結合する部分２８４と結合する補助の電気装置２１５の電気端子２１７は、モジュール２０３の電気端子２８２のピッチより（例えば２倍）大きいピッチで、そのピッチは、隣接した電気端子の中心間の距離であることができ、一定間隔で離間することができる。同様に、第１の選択した数の電気端子２８２ａと結合する部分２８４と結合する電気コネクタ２０２の電気端子２２０は、モジュール２０３の電気端子２８２のピッチより（例えば２倍）大きいピッチで一定間隔で離間することができる。したがって、それぞれ第１の選択した数の電気端子２８２ａは、電気端子２８２のピッチの２倍のピッチで一定間隔で離間することができ、さらにそれぞれ第２の選択した数の電気端子２８２ｂは、電気端子２８２の２倍のピッチで一定間隔で離間することができる。
【００４２】
例証された実施例にしたがって、電気コネクタ２０２は、５つの電気端子２２０を有し、さらに、モジュール２０３は、９つの電気端子２８２を有する。例えば、第１の選択した数の電気端子２８２ａは、５つの電気端子、または望まれるような電気端子のあらゆる代りの数の電気端子を有することができ、さらに、第２の選択した数の電気端子２８２ｂは、４つの電気端子、または望まれるような電気端子のあらゆる代りの数の電気端子を有することができる。モジュール２０３は、矢印Ｍ１およびＭ２の方向に沿って、このように容易にそれぞれ結合可能であり、さらに、例えば、電気コネクタ組立体２００が、使用の間に電源から離れて位置するときに、それぞれ、電気コネクタ２０２と補助の電気装置２１５との間に、それぞれＭ１およびＭ２とは対向する方向に沿って結合可能である。第１の選択した数の１つまたはそれ以上の電気端子２８２ａが、第２の選択した数のすべてまでの１つまたはそれ以上の電気端子２８２ｂに加えて、さらに、補助の電気装置２１５と結合するように構成することができることは、代りの実施例において認識されるべきである。１つまたはそれ以上のすべてまでの第２の選択した数の電気端子２８２ｂは、上に記述されたような電力端子として構成することができ、または今記述されるのと同じくらいのデータ伝送端末として構成することができる。
【００４３】
例えば、第２の電気部品２１３が、第１の電気部品２１１に電力を供給するために、第１の電気部品２１１と電気通信にあるバッテリーのような再充電可能な電源として構成することができる一方で、第２の電気部品２１３は、代りに、データ伝送インターフェース、例えば、ＵＳＢインターフェースとして、すなわち、第１の電気部品２１１と電気通信にあるように構成することができる。データ伝送インターフェースとして構成された第２の電気部品２１１は、１つまたはそれ以上のすべてまでの第２の選択するものの電気端子２８２ｂと電気通信にあることができ、それはデータ伝送端末として構成することができる。したがって、補助の電気装置２１５は、ＵＳＢプラグ、または、第１の電気部品２１１から第２の電気部品２１３に伝達されるデータ情報を受信できる、あらゆる代りのデータ伝送コンジットを有することができ、さらに、さらなる分析および記憶用のリモートコンピュータに受信データ情報を伝達することができる。代りに、なお、第２の数の電気端子２８２ｂは、再充電可能な電源を再充電するためにモジュール２０３の再充電可能な電源と電気通信にある電力端末を有することができ、かつモジュール２０３のデータ伝送インターフェースと電気通信にあるデータ伝送端末を、さらに有することができる。
【００４４】
電気端子２８２は、電気コネクタ２０２の係合部材２４２を係合するように構成される係合部材に関して固定空間的関係に配置することができ、それは、電気端子２８２および２２０が、上に記述された方法で結合することができるようなものである。例えば、モジュールハウジング２８０は、係合部材を伴なうことができ、または、モジュールハウジング２８０を支持するあらゆる適切な構造も、係合部材を伴なうことができる。係合部材は、それら結合された構成における電気コネクタ２０２および２０３を固定するように、ガイドレール２４９（図６Ａ）、またはラッチアーム２４７（図３Ａ−Ｂ）のかかり（barbed）のついた前端２４８、または電気コネクタ２０２の係合部材２４２を係合するように構成されたあらゆる代りの構成された係合部材を受けるスロットとして構成することができる。
【００４５】
１つの実施例にしたがって、ある方法が、モジュールハウジング２８０のようなモジュールハウジングを有するタイプのモジュール２０３のようなモジュール、および、モジュールハウジング２０４によって支持される第１の選択した数の電気端子２８２ａのような第１の選択した数の電気端子、および、モジュールハウジング２８０の第２の選択した数の電気端子２８２ｂのような第２の選択した数の電気端子、のデータを送信するために提供される。第２の選択した数の電気端子２８２ｂは、第１の選択した数の電気端子２８２ａと異なる。この方法は、補完的な電気装置２２を、モジュール２０３の、第１の電気部品２１１のような第１の電気部品と電気通信に配置するために、第１の選択した数の電気端子２８２ａを、第１の補完的な電気装置２２のような、補完的な電気装置にマウントされる電気コネクタ２０２のような電気コネクタと取外し可能な電気通信に配置するステップを有することができる。この方法は、さらに、補助の電気装置２１５を、モジュール２０３の、第２の電気部品２１３のような第２の電気部品と電気通信に配置するように、第２の選択した数の電気端子２８２ｂを、補助の電気装置２１５のような補助の電気装置と取外し可能な電気通信に配置するステップを有することができ、ここに、モジュール２０３の第２の電気部品２１３は、モジュール２０３の第１の電気部品２１１と電気通信にある。１つの実施例において、第２の配置するステップは、第１の選択した数の電気端子２８２ａが、電気コネクタ２０２と電気的に接続される間に、実行することができる。他の実施例において、その方法は、第２の配置するステップを実行する前に、第１の選択した数の電気端子２８２ａを、電気コネクタ２０２との電気通信から取り除くステップを有することができる。第２の電気部品２１３は、第１の電気部品２１１に電力を供給する再充電可能な電源を有することができ、補助の電気装置２１５は、バッテリー充電器を有することができ、かつ、第２の配置するステップは、再充電可能な電源を再充電するように再充電可能な電源に電荷を供給することを有することができる。
【００４６】
以上のような方法について、実施態様を示すと、以下のとおりである。
【００４７】
実施態様１：
モジュールハウジングと、このモジュールハウジングによって支持された第１の選択した数の電気端子と、このモジュールハウジングの第２の選択した数の電気端子と、を有し、第２の選択した数の電気端子は、第１の選択した数の電気端子と異なるものを有するタイプのモジュールのデータを送信する方法であって、補完的な電気装置を、モジュールの第１の電気部品と電気通信に配置するように、第１の選択した数の電気端子を補完的な電気装置にマウントされる電気コネクタと取外し可能な電気通信に配置することと；
補助の電気装置を、モジュールの第２の電気部品と電気通信に補助の電気装置を配置するように、電気端子の第２の選択した数を取外し可能な電気通信に配置することとを有し、モジュールの第２の電気部品は、モジュールの第１の電気部品と電気通信にある、ステップを有する方法。
【００４８】
実施態様２：
第１の選択した数の電気端子が、電気的に電気コネクタと接続される間に、第２の配置するステップを実行することをさらに有する、実施態様１記載の方法。
【００４９】
実施態様３：
第２の配置するステップを実行する前に、第１の選択した数の電気端子を、電気コネクタとの電気通信から取り除くステップを、さらに有する、実施態様１記載の方法。
【００５０】
実施態様４：
第２の電気部品は、第１の電気部品に電力を供給する再充電可能な電源を有し、補助の電気装置は、バッテリー充電器を有し、さらに、第２の配置するステップは、再充電可能な電源を充電するように、再充電可能な電源に電荷を供給することを有する実施態様４記載の方法。
【００５１】
例証された実施例に関して記述された実施例が、例証経由で示されてきたが、さらに、この本考案は、したがって、開示された実施例に限定されるようには意図されない。さらに、上に記述されたそれぞれの実施例の構造および特徴は、他に示されないならば、ここに記述された他の実施例に適用することができる。したがって、当業者は、例えば付随された請求項によって述べられるように、この発明は、この考案の精神および範囲内に包含されたあらゆる変更および代替構成をすべて包含することを意図することを理解しよう。
【図１】
0003173702.tif 000003
【図２Ａ】
0003173702.tif 000004
【図２Ｂ】
0003173702.tif 000005
【図３Ａ】
0003173702.tif 000006
【図３Ｂ】
0003173702.tif 000007
【図４】
0003173702.tif 000008
【図５Ａ】
0003173702.tif 000009
【図５Ｂ】
0003173702.tif 000010
【図６Ａ】
0003173702.tif 000011
【図６Ｂ】
0003173702.tif 000012
【図６Ｃ】
0003173702.tif 000013
【図６Ｄ】
0003173702.tif 000014